(57)【要約】      （修正有）【課題】被保冷体又は被保温体を収納し温度上昇又は低下を長時間防止しながら長期間の搬送や貯蔵を可能にするための箱体であり、使用性もよく、収納ケースの交換も入れ換えも容易に出来、安価に製作し得る箱体を提供する。【解決手段】被保冷体５又は被保温体を収納する断熱材からなる開閉ケース１とこの中に隙間３を介して適宜位置に着脱可能に収納される断熱材からなる別体の収納ケース２とからなり、収納ケースに設けた孔２ｅや開放孔２ｆにより長時間の冷却又は保温効果を上げる。【選択図】図１
0003200023.tif 000002
【実用新案登録請求の範囲】
【請求項１】
被保冷体又は被保温体を冷却又は保温状態に長時間保持する貯蔵箱又は遠隔の目的地まで搬送するために使用する通い箱のような箱体であって、該箱体は、前記被保冷体又は被保温体を収納するスペースを有し開閉用の蓋体を有する断熱材からなる開閉ケースと、該開閉ケース内にその内壁から隙間を介し前記開閉ケース内に着脱可能に配置され内部に保冷剤又は保温剤を収納するスペースを有する断熱材からなる枠体状の収納ケースとから構成され、前記収納ケースは、枠体を形成する一面に開口部を形成するものからなり、前記箱体を前記被保冷体の冷却用として使用する場合には前記収納ケースを前記被保冷体の上方に配置すると共に前記開口部を有する前記一面を上方に向けて配置し、一方、前記箱体を前記被保温体の保温用として使用する場合には前記収納ケースを前記被保温体の下方に配置すると共に前記開口部を有する前記一面を下方に向けて配置するものからなることを特徴とする被保冷体又は被保温体を冷却又は保温状態で搬送又は貯蔵するために使用する箱体。
【請求項２】
前記収納ケースの前記一面に形成される前記開口部が複数の孔からなることを特徴とする請求項１に記載の被保冷体又は被保温体を冷却又は保温状態で搬送又は貯蔵するために使用する箱体。
【請求項３】
前記収納ケースの前記一面に形成される前記開口部が前記一面の縁部を残した状態で開口される開放孔からなることを特徴とする請求項１に記載の被保冷体又は被保温体を冷却又は保温状態で搬送又は貯蔵するために使用する箱体。
【請求項４】
前記開放孔を有する前記収納ケースの前記一面には前記開放孔を覆う網状板が固定されることを特徴とする請求項３に記載の被保冷体又は被保温体を冷却又は保温状態で搬送又は貯蔵するために使用する箱体。
【請求項５】
前記保冷剤が０℃以下の融解潜熱をもつ蓄冷剤からなり、前記保温剤が０℃以上の融解潜熱をもつ蓄温剤からなることを特徴とする請求項１に記載の被保冷体又は被保温体を冷却又は保温状態で搬送又は貯蔵するために使用する箱体。
【考案の詳細な説明】
【技術分野】
【０００１】  本考案は、被保冷体又は被保温体を長期間にわたり冷却又は保温状態に保持し貯蔵出来ると共に遠隔地へ搬送して保管出来る箱体に係り、構造簡単で汎用性もあり、低コストで構成され、別体の既存の箱体にも適用可能である被保冷体又は被保温体の冷却又は保温用の通い箱や貯蔵箱のような箱体に関する。
【背景技術】
【０００２】  被保冷体又は被保温体を生産地から遠隔の消費地に搬送し貯蔵するために使用する箱体としては従来より各種のものが開示されている。この中で簡単な手段の１つとして通い箱や貯蔵箱の如きものが一般に広く使用されている。このものは被保冷体又は被保温体をケース内に収納して冷却又は保温状態を保持しながら遠隔地等へ搬送して貯蔵するものが用いられている。この従来技術として「特許文献１」や「特許文献２」が挙げられる。
【先行技術文献】
【特許文献】
【０００３】
【特許文献１】実願昭５５−６９０８３号（図１）
【特許文献２】実用新案登録第３１８９６２８号（図１）
【非特許文献】
【考案の概要】
【考案が解決しようとする課題】
【０００４】  「特許文献１」の「実願昭５５−６９０８３号」の「保温ケース」は被保温体を内部に収納している保温ケース本体に蓄温剤を乗せたものからなるがその詳細内容は明示されていない。この「特許文献１」に似た密閉体のケース本体としては収納されている被保冷体の上方の空間部に蓄冷剤を被保冷体に接して配設されるものであるが冷却効果が短時間である問題点があった。そのため「特許文献２」の「実用新案登録第３１８９６２８号」の「保冷・保温用通い箱及び貯蔵箱」が開示されている。このものは密閉ケースを断熱材の仕切板によって上室と下室とに分解し、下室に被保冷体又は被保温体を収納し上室に保冷剤又は保温剤を収納する形態のものからなる。
しかしながら、このものは構造としては固定的のものであり、箱毎に設計されるため汎用性もなく、内部構造の変更や交換が出来ず取り扱い性においても不便であり、安価に便利に使用されるものではない問題点があった。また、従来のものに較べて長時間の冷却又は保温が出来たとしても本考案とは冷却，保温の方法が異なり、本考案に較べて長時間の冷劫又は保温が出来ない問題点があった。【０００５】  本考案は、以上の問題点を解決するものであると共に、長時間の冷却又は保温が出来、保冷剤や保温剤の交換も簡単に出来、従来型の箱や現在の流通箱にも適用出来る利用方に優れ、取り扱い性もよく、安価に実施出来る被保冷体又は被保温体を冷却又は保温状態で搬送又は貯蔵するために使用する箱体を提供することを目的とする。
【課題を解決するための手段】
【０００６】  本考案は、以上の目的を達成するために、請求項１の考案は、被保冷体又は被保温体を冷却又は保温状態に長時間保持する貯蔵箱又は遠隔の目的地まで搬送するために使用する通い箱のような箱体であって、該箱体は、前記被保冷体又は被保温体を収納するスペースを有し開閉用の蓋体を有する断熱材からなる開閉ケースと、該開閉ケース内にその内壁から隙間を介し前記開閉ケース内に着脱可能に配置され内部に保冷剤又は保温剤を収納するスペースを有する断熱材からなる枠体状の収納ケースとから構成され、前記収納ケースは、枠体を形成する一面に開口部を形成するものからなり、前記箱体を前記被保冷体の冷却用として使用する場合には前記収納ケースを前記被保冷体の上方に配置すると共に前記開口部を有する前記一面を上方に向けて配置し、一方、前記箱体を前記被保温体の保温用として使用する場合には前記収納ケースを前記被保温体の下方に配置すると共に前記開口部を有する前記一面を下方に向けて配置するものからなることを特徴とする。【０００７】  また、請求項２の考案は、前記収納ケースの前記一面に形成される前記開口部が複数の孔からなることを特徴とする。【０００８】  また、請求項３の考案は、前記収納ケースの前記一面に形成される前記開口部が前記一面の縁部を残した状態で開口される開放孔からなることを特徴とする。【０００９】  また、請求項４の考案は、前記開放孔を有する前記収納ケースの前記一面には前記開放孔を覆う網状板が固定されることを特徴とする。【００１０】  また、請求項５の考案は、前記保冷剤が０℃以下の融解潜熱をもつ蓄冷剤からなり、前記保温剤が０℃以上の融解潜熱をもつ蓄温剤からなることを特徴とする。
【考案の効果】
【００１１】  本考案の請求項１の被保冷体又は被保温体を冷却又は保温状態で搬送又は貯蔵するために使用する箱体によれば、開閉ケース内に収納される被保冷体又は被保温体は前記開閉ケースと前記開閉ケースの上方又は下方に配置されその内部に保冷剤又は保温剤を収納する別体構造の収納ケースとにより従来技術よりも長時間冷却又は保温することが出来ると共に収納ケースは別体のものからなり本考案の開閉ケースに限らず他の冷却又は保温用箱体にも適用され、交換可能でありストックも出来広範囲に使用出来、冷却又は保温が長時間出来る効果を上げることが出来る。【００１２】  また、請求項２の被保冷体又は被保温体を冷却又は保温状態で搬送又は貯蔵するために使用する箱体によれば、高温の外気は断熱材の開閉ケース内に徐々に侵入しやや低温になると共にその熱気は上昇し収納ケースの複数の孔から収納ケース内に入り収納ケース内の保冷剤により冷却されて収納ケースの下方にある被保冷体を冷却する。この作用により十分で長時間の保冷作用を行うことが出来る。【００１３】  また、請求項３の被保冷体又は被保温体を冷却又は保温状態で搬送又は貯蔵するために使用する箱体によれば、外部の冷気は開閉ケース内に徐々に侵入しやや高温となり、この熱気は被保温体の下方にある収納ケースの開放孔より侵入し収納ケース内の保温剤により温められ開放ケース内の被保温体を保温することが出来、長時間の保温が可能となる効果を上げることが出来る。【００１４】  また、請求項４の被保冷体又は被保温体を冷却又は保温状態で搬送又は貯蔵するために使用する箱体によれば、保温用の収納ケースの開放孔は網状板により覆われているため収納ケース内の保温剤が落下することが防止される。【００１５】  また、請求項５の被保冷体又は被保温体を冷却又は保温状態で搬送又は貯蔵するために使用する箱体によれば、保冷剤や保温剤として０℃を境としたものが使用出来、市販のものの適用や安価な入手が可能となる。
【図面の簡単な説明】
【００１６】
【図１】保冷用の本考案の箱体の構造を示す断面図（ａ），（ｂ）。
【図２】保温用の本考案の箱体の構造を示す断面図（ａ），（ｂ）。
【図３】本考案における収納ケースの断面図（ａ），（ｂ）とその上面図（ｃ），（ｄ）。
【図４】網状板の上面図。
【考案を実施するための形態】
【００１７】  以下、本考案の被保冷体又は被保温体を冷却又は保温状態で搬送又は貯蔵するために使用する箱体の実施の形態を図面を参照して詳述する。
【実施例１】
【００１８】  図１（ａ）は保冷を目的とした本考案の箱体１００を示す。箱体１００は被保冷体５を収納する空間を形成する開閉ケース１とこの内部にその内壁から隙間３を介して収納される別体の収納ケース２とからなる。開閉ケース１は被保冷体５と収納ケース２とを収納する空間を有する枠状体の開閉ケース本体１ａとこの上部の開口部を着脱可能に閉止する開閉ケース上蓋１ｂとからなり、これ等は断熱材から形成される。【００１９】  収納ケース２はその内部に保冷剤４を収納する空間２ｄを有する箱状体からなり図３（ａ）及び（ｃ）に示す形状のものからなる。即ち、上板２ａ（請求項２等における一面に相当するもの）と下板２ｂと上板２ａと下板２ｂとを連結する側板２ｃとからなる。なお、収納ケース２の上板２ａには孔２ｅが複数個形成される。【００２０】  図１（ｂ）は図１（ａ）と同じく保冷を目的とした箱体１００Ａを示す。その全体構造は図１（ａ）とほぼ同一であるが収納ケース２Ａの構造が収納ケース２と相異する。即ち、図１（ａ）における収納ケース２はその上板２ａに孔２ｅを形成するものであるが収納ケース２Ａは図３（ｂ）及び（ｄ）に示すように上板２ａには開放孔２ｆが形成される。この開放孔２ｆは上板２ａに縁部を残した状態で開放形成されるものからなる。【００２１】  以上の構造の箱体１００と１００Ａの収納ケース２や２Ａに収納されている保冷剤４については０℃以下の融解潜熱を有する蓄冷剤４ａが適用され、例えば市販の保冷剤やパック付の氷や給水ブラインやエチレングリコール等が使用され、溶融後に流動性のないコロイド状の材料が好ましい。また、被保冷体５としては任意のものでよい。【００２２】  次に、以上の構造の箱体１００や１００Ａによる保冷作用を説明する。
収納ケース２，２Ａ内にある保冷剤４（蓄冷剤４Ａ）は冷気が上昇することがないため孔２ｅや開放孔２ｆよりの冷気の流出はない。
開閉ケース１の外まわりが高温であったとするとその高温は開閉ケース１が断熱材から形成されているため直接開放ケース内に流入することはないが徐々に流入し開閉ケース１内の温度は上昇して来る。開閉ケース１内の温気は上方に向かって移動し、隙間３を通過して収納ケース２，２Ａの上面に廻り込み孔２ｅや開放孔２ｆより収納ケース２，２Ａ内に入り保冷剤４（蓄冷剤４ａ）により冷却される。この冷却された冷気は収納ケース２，２Ａの下板２ｂを介して被保冷体５を徐々に冷却して保冷効果が生ずる。以上の熱移動による冷却作用により被保冷体５は従来の箱体よりも長時間保冷されることが出来る。【００２３】  図２（ａ）の箱体１００Ｂは保温を目的としたものである。開閉ケース１内には被保温体６が収納されている。この箱体１００Ｂでは収納ケース２は被保温体６の下部に配置され孔２ｅのある面は下方に向けて配置される。また、収納ケース２内には保温剤７（蓄温剤７ａ）が収納される。【００２４】  図２（ｂ）の箱体１００Ｃも保温を目的としたものであり収納ケース２の替りに収納ケース２Ａが配置される。この収納ケース２Ａも被保温体６の下部に配置され開放孔２ｆは下向きに配置される。この場合収納ケース２Ａ内の保温剤７の落下を防止するため図４に示す網状板８が開放孔２ｆのある面を覆って配置される。【００２５】  次に、箱体１００Ｂ及び１００Ｃによる被保温体６の保温作用を説明する。
冷気である外気は開閉ケース１から徐々に開閉ケース１の内部に侵入し、冷気のため下方に向かって進む。ここで、冷気は箱体１００Ｂの場合は収納ケース２の孔２ｅを通り内部に入り保温剤７（蓄温剤７ａ）により加温されてその加温空気は収納ケース２の断熱材の下板２ｂ等を通りまた、隙間３を通って上昇し被保温体６を加温状態に保持することになる。この熱の空気流れによって被保温体６は加温状態を長時間保持する事も出来る。【００２６】  また、箱体１００Ｃは図２（ｂ）に示すように収納ケース２Ａは下方に開放孔２ｆを有するものであり、図２（ａ）の箱体１００Ｂとほぼ同一の保温効果をもたらす。但し、この場合、収納ケース２Ａ内の保温剤７（蓄温剤７Ａ）が落下するのを防止するため網状板８が使用される。以上において保温剤７（蓄温剤７Ａ）として０℃以上の融解潜熱を有するものが適用されるが市販にて入手可能のものからなり特に限定するものではない。【００２７】  以上の箱体１００，１００Ａ又は１００Ｂ，１００Ｃにより被保冷体５又は被保温体６は従来品に較べて長時間保持することが出来、遠隔地への搬送や長時間の保存等を効果的に行うことが出来る。【００２８】  また、以上の箱体１００等により使用した収納ケース２等はすべて開閉ケース１とは別体のもので開閉ケース１の開閉ケース上蓋１ｂから容易に着脱出来るものからなる。従来品ではこの機能を有するものは本体側と一体的のもので交換や入れ換えが出来ない。従って、本考案による収納ケース１等は本考案の開閉ケース１等への使用に限らず従来の保冷用や保温用の箱体にも適用出来、その使用範囲は広い。【００２９】  本考案の内容は以上の説明のものからなるが、その内容は以上の説明に限定するものではなく、同一技術的範疇のものが適用される事は勿論である。
【産業上の利用可能性】
【００３０】  本考案の被保冷体又は被保温体を冷却又は保温状態で搬送又は貯蔵するために使用する箱体は保冷や保温を必要とするすべての箱体に適用可能であり、その利用範囲は極めて広い。
【符号の説明】
【００３１】１        開閉ケース
１ａ      開閉ケース本体
１ｂ      開閉ケース上蓋
２        収納ケース
２Ａ      収納ケース
２ａ      上板（一面）
２ｂ      下板
２ｃ      側板
２ｄ      空間
２ｅ      孔
２ｆ      開放孔
３        隙間
４        保冷剤
４ａ      蓄冷剤
５        被保冷体
６        被保温体
７        保温剤
７ａ      蓄温剤
８        網状板
１００    箱体
１００Ａ  箱体
１００Ｂ  箱体
１００Ｃ  箱体
【図１】
0003200023.tif 000003
【図２】
0003200023.tif 000004
【図３】
0003200023.tif 000005
【図４】
0003200023.tif 000006